(57)【特許請求の範囲】
【請求項１】
ＧＩＳ型の電気設備（２０）のスペーサケーシング（２４ａ〜２４ｆ）用の取り外し可能な安定器であって、
前記スペーサケーシング（２４ａ〜２４ｆ）は、
第１の開口（３３）と、
ボア（３４）を有する導体（３０ｂ）と、
を備え、
前記取り外し可能な安定器（２９）は、
前記第１の開口（３３）を介して前記スペーサケーシング（２４ａ〜２４ｆ）に導入されるように構成されたプラグ（２９ａ）を備え、
前記プラグは、前記スペーサケーシング（２４ａ〜２４ｆ）が大気圧に置かれた後で前記導体（３０ｂ）が移動するのを阻止するように、前記導体（３０ｂ）の前記ボア（３４）に貫入するように設計された、取り外し可能な安定器（２９）。
【請求項２】
第２の開口を介して前記スペーサケーシング（２４ａ〜２４ｆ）に挿入され、前記プラグ（２９ａ）の端部を収容するように構成されたソケット（２９ｂ）を備える、請求項１に記載の取り外し可能な安定器。
【請求項３】
前記プラグ（２９ａ）と前記ソケット（２９ｂ）は、前記第１の開口（３３）と前記第２の開口（３３）にそれぞれねじ留めされるように構成された、請求項１または２に記載の取り外し可能な安定器。
【請求項４】
前記プラグ（２９ａ）は、前記ソケット（２９ｂ）にねじ留めされるように構成された、請求項２に記載の取り外し可能な安定器。
【請求項５】
前記プラグ（２９ａ）の一端は、前記スペーサケーシング（２４ａ〜２４ｆ）に含まれるハウジング（１３４）内に配置されるように構成され、
前記ハウジングは、前記ケーシングの前記第１の開口（３３）と反対側に位置し、
前記プラグ（２９ａ）は、前記第１の開口（３３）にねじ留めされるように構成された、請求項１に記載の取り外し可能な安定器。
【請求項６】
プラグ（２９ａ）の一端は、前記スペーサケーシング（２４ａ〜２４ｆ）に含まれるハウジング（１３４）内に配置されるように構成され、
前記ハウジングは、前記第１の開口（３３）と反対側に位置し、
前記プラグ（２９ａ）は、前記ハウジング（１３４ａ）内にねじ留めされるように構成された、請求項１に記載の取り外し可能な安定器。
【請求項７】
少なくとも第１の導体（３０ａ，３０ｂ，３０ｃ）と、
請求項１〜６のうちいずれか一項に記載の少なくとも１つの取り外し可能な安定器（２９）と、
前記取り外し可能な安定器（２９）を挿入するための少なくとも１つの開口（３３）と、を備えるスペーサケーシング。
【請求項８】
前記第１の導体（３０ａ，３０ｂ，３０ｃ）は、前記取り外し可能な安定器（２９）を収容するためのボア（３４）を有する、請求項７に記載のスペーサケーシング。
【請求項９】
少なくとも第２の導体（３０ａ，３０ｂ，３０ｃ）と、
前記導体（３０ａ，３０ｂ，３０ｃ）を機械的に接続する接続部材（３１，３３４，２４ｃ，１２４ｃ，３２４ｃ）と、
を備え、
前記取り外し可能な安定器（２９）は、前記接続部材（３１，３３４，２４ｃ，１２４ｃ，３２４ｃ）と協力することで、前記スペーサケーシング（２４ａ〜２４ｆ）が大気圧に置かれた後で、全ての前記導体（３０ａ，３０ｂ，３０ｃ）の前記スペーサケーシング（２４ａ〜２４ｆ）に対する移動が阻止される、請求項７または８に記載のスペーサケーシング。
【請求項１０】
前記接続部材は、前記スペーサケーシング（３２４ｃ）又は前記スペーサケーシング（３２４ｃ）の壁の一部分の外側に外部手段（３３４）を有し、
前記スペーサケーシングは、少なくとも１つの補助開口を有し、
安定化ロッド（３２９）は、前記補助開口内と前記第２の導体のボア（３４）内に収容された、請求項９に記載のスペーサケーシング。
【請求項１１】
前記接続部材は、前記スペーサケーシング内で前記導体（３０ａ〜３０ｃ）のそれぞれにリベット留めされたストラップ（３１）である、請求項９に記載のスペーサケーシング。
【請求項１２】
ＧＩＳ型（２０）の電気設備のベイ（２７ａ〜２７ｃ）から断路器ケーシング（２３ａ〜２３ｆ）を抜き取る方法であって、
前記ベイ（２７ａ〜２７ｃ）は、前記電気設備（２０）を配電網に接続する回路遮断器ケーシング（２２ａ〜２２ｃ）を提供し、
前記ベイは、前記断路器ケーシング（２３ａ〜２３ｆ）に隣接した第１のスペーサケーシング（２４ａ〜２４ｆ）をさらに提供し、
前記電気設備（２０）は、１組の母線（２１ａ，２１ｂ）を有し、
前記１組の母線（２１ａ，２１ｂ）の各部分は、前記断路器ケーシング（２３ａ〜２３ｆ）と前記スペーサケーシング（２４ａ〜２４ｆ）の各々の中を通り、
前記断路器ケーシング（２３ａ〜２３ｆ）、前記回路遮断器ケーシング（２２ａ〜２２ｃ）及び前記スペーサケーシング（２４ａ〜２４ｆ）の各々は、所定のサービス圧力の絶縁性ガスで満たされたときに、加圧下で独立ユニットを構成し、
前記方法は、
前記ベイ（２７ａ〜２７ｃ）と前記１組の母線（２１ａ，２１ｂ）とを接地するステップと、
前記回路遮断器ケーシング（２２ａ〜２２ｃ）、前記断路器ケーシング（２３ａ〜２３ｆ）及び前記第１のスペーサケーシング（２４ａ〜２４ｆ）内のサービス圧力の絶縁性ガスを、前記大気圧の空気で置き換えるステップと、
前記第１のスペーサケーシング（２４ａ〜２４ｆ）内に、請求項１〜６のいずれか一項に記載の取り外し可能な安定器（２９）を装着するステップと、
前記ＧＩＳ（２０）から前記断路器ケーシング（２３ａ〜２３ｆ）を物理的に抜き取るステップと、を含む方法。
【請求項１３】
前記第１の支持絶縁体（２５）は、前記断路器ケーシング（２３ａ〜２３ｆ）と前記回路遮断器ケーシング（２２ａ〜２２ｃ）の間に配置され、
第２の支持絶縁体要素（２５）は、前記断路器ケーシング（２３ａ〜２３ｆ）と前記第１のスペーサケーシング（２４ａ〜２４ｆ）との間に配置され、
第１及び第２の支持絶縁体（２５）は、抜き取り後に前記断路器ケーシング（２３ａ〜２３ｆ）上に保持される、請求項１２に記載の断路器ケーシング（２３ａ〜２３ｆ）を抜き取る方法。
【請求項１４】
前記電気設備は、前記断路器ケーシング（２３ｃ〜２３ｆ）に隣接した第２のスペーサケーシング（２４ａ〜２４ｄ）を備え、
前記方法は、
前記第２のスペーサケーシング（２４ａ〜２４ｄ）の内圧を、前記サービス圧力より低い圧力レベルまで低下させるステップを含み、
前記低下させるステップは、前記断路器ケーシング（２３ｃ〜２３ｆ）の物理的抜き取り前でかつ前記１組の母線の接地後に行われる、請求項１２または１３に記載の断路器ケーシング（２３ｃ〜２３ｆ）を抜き取る方法。
【請求項１５】
前記断路器ケーシング（２３ｃ〜２３ｆ）は、第３の支持絶縁体（２５）によって前記第２のスペーサケーシング（２４ａ〜２４ｄ）から分離されている、請求項１２から１４のうちいずれか一項に記載の断路器ケーシング（２３ｃ〜２３ｆ）を抜き取る方法。
【請求項１６】
前記断路器ケーシング（２３ｃ〜２３ｆ）の前記ＧＩＳからの物理的抜き取り後に、前記第３の支持絶縁体（２５）が前記第２のスペーサケーシング（２４ａ〜２４ｄ）に取り付けられたままである、請求項１２から１５のうちいずれか一項に記載の断路器ケーシング（２３ｃ〜２３ｆ）を抜き取る方法。
【請求項１７】
前記第２のスペーサケーシング（２４ａ〜２４ｄ）の内圧が、低下後に、０．１ＭＰａ〜０．５ＭＰａの範囲にある、請求項１２から１６のうちいずれか一項に記載の断路器ケーシング（２３ｃ〜２３ｆ）を抜き取る方法。
【請求項１８】
前記第２のスペーサケーシング（２４ａ〜２４ｄ）の内圧が、低下後に、約０．２ＭＰａ程度となる、請求項１２から１７のうちいずれか一項に記載の断路器ケーシング（２３ｃ〜２３ｆ）を抜き取る方法。
【請求項１９】
前記第２のスペーサケーシング（２４ａ〜２４ｄ）の内圧が、低下後に、大気圧となり、
前記支持絶縁体（２５）は、物理的抜き取り後に前記断路器ケーシング（２３ｃ〜２３ｆ）に取り付けられたままである、請求項１５に記載の断路器ケーシング（２３ｃ〜２３ｆ）を抜き取る方法。
【請求項２０】
前記第２のスペーサケーシング（２４ａ〜２４ｄ）に前記取り外し可能な安定器（２９）を装着するステップを含む、請求項１２から１９のうちいずれか一項に記載の断路器ケーシング（２３ｃ〜２３ｆ）を抜き取る方法。
【請求項２１】
前記第２のスペーサケーシング（２４ａ〜２４ｄ）の内圧が、低下後に、大気圧と等しくなり、
前記方法は、前記取り外し可能な安定器（２９）を前記第２のスペーサケーシング（２４ａ〜２４ｄ）に取り付けるステップを含む、請求項１２または１３に記載の断路器ケーシング（２３ｃ〜２３ｆ）を抜き取る方法。
【発明の詳細な説明】
【技術分野】
【０００１】
本発明は、一般に、ガス絶縁変電所（ＧＩＳ）と呼ばれる高電圧又は中間電圧ガス絶縁変電所の保守と修理に関する。このタイプの変電所は、開閉装置、詳細には母線断路器、回路遮断器、又は接地開閉器を含む。一般に、開閉装置は、タンク内で０．４メガパスカル（ＭＰａ）〜０．８ＭＰａ（例えば、０．７ＭＰａ）のサービス圧力で加圧された六フッ化硫黄（ＳＦ６）を使用して絶縁される。
【０００２】
ＧＩＳは、単相機器と三相機器に分けられることがある。三相機器では、三相導体が、共通タンク内に閉じ込められる。単相機器では、タンクは、一相のみに対応する。
【０００３】
技術的視点から、本発明は、単相機器と三相機器に同じようにかなり関連している。
【０００４】
また、職業安全衛生（ＯＨ）にも関連する。
【０００５】
例示的なＧＩＳは、複数の回路遮断器、１組以上の母線と、１組の母線につき１つの断路器を含む。母線は、回路遮断器を接続する。各組の母線と各回路遮断器との間にそれぞれの断路器が挟まれる。ベイと呼ばれるＧＩＳの区分は、回路遮断器と、それぞれ対応する組の母線の一部と、挟まれた断路器と、各断路器用のスペーサケーシングをグループ化する。
【背景技術】
【０００６】
より詳述には、図１と図２に見ることができるＧＩＳ１０は、２組の母線１１ａと１１ｂ、４つの回路遮断器ケーシング１２ａ〜１２ｄ（それぞれベイ１７ａ〜１７ｄに対応する）、８つの断路器ケーシング１３ａ〜１３ｈ、及び６つのスペーサケーシング１４ａ〜１４ｆを含む。
【０００７】
ケーシング１２ａ〜１２ｄ、１３ａ〜１３ｈ及び１４ａ〜１４ｆは、加圧された絶縁性ガスで満たされた金属タンクである。ケーシング１３ａ〜１３ｈと、ケーシング１２ａ〜１２ｄ又は１４ａ〜１４ｆとの間の各接続部にある気密支持絶縁体１５は、隣接ケーシング間のＳＦ６ガスの交換を防ぎ、すなわち、各ケーシング１２ａ〜１２ｄ、１３ａ〜１３ｈ及び１４ａ〜１４ｆは、加圧下で独立ユニットを構成する。
【０００８】
この例では、各組の母線１１ａと１１ｂは、母線固有の３つの導体を有する。これらの母線はそれぞれ、断路器ケーシングとスペーサケーシング内でＧＩＳ１０の幅全体にわたって延在する。
【０００９】
各ケーシング１２ａ〜１２ｄは、ベイ１７ａ〜１７ｄを下流の回路網から絶縁することを可能にする。
【００１０】
図１では、２つの断路器ケーシング１３ａと１３ｂが、ケーシング１２ａと、それぞれの組の母線１１ａ又は１１ｂとの間の接続部を構成する。他のケーシング１２ｂ〜１２ｄはそれぞれ、１３ｃ〜１３ｈの中の２つの断路器ケーシングに同様に接続される。断路器ケーシング１３ａ〜１３ｈは、回路遮断器ケーシング１２ａ〜１２ｄのうちの１つを、１組の母線１１ａと１１ｂの一方又は他方から電気的に絶縁することを可能にする。
【００１１】
各断路器ケーシング１３ａ〜１３ｈは、スペーサケーシング１４ａ〜１４ｆによって隣接断路器ケーシングから分離される。一例として、ケーシング１３ａは、スペーサケーシング１４ａによって隣接ケーシング１３ｃから分離される。
【００１２】
厳密に言うと、ケーシング１４ａ〜１４ｆは、任意選択であり、すなわち、ＧＩＳは、ケーシング１３ａ及び１３ｃが積み重なって締結された状態で動作できる。しかしながら、中間ケーシング１４ａ〜１４ｆは、ベイへのアクセスを容易にするために使用される。
【００１３】
隣接スペーサケーシング１４ａ〜１４ｆとの２つ接続部の一方の接続部にのみ、各ケーシング１３ｃ〜１３ｈが、取り外し可能な結合ユニット１６を含む。一例として、前記結合ユニット１６は、複数のねじで構成される。ケーシング１３ａ及び１３ｂは、１組の母線の端にあり、前記結合ユニットを含まない。
【００１４】
断路器に対する措置を取るためには、ケーシングを１組の母線から分離しなければならない。
【００１５】
例えば、図２では、ケーシング１３ｃが、ベイ１７ｂから抜き取られている。ケーシング１３ｃと１４ｃの間の接続部は、取り外しできず、これらの２つの要素は、１ブロックとして抜き取られている。
【００１６】
ケーシング１３ｃが取り外されたとき、ケーシング１３ｃを回路遮断器ケーシング１２ｂから分離する支持絶縁体１５が、ケーシング１３ｃに取り付けられたままであることに留意されたい。ガス絶縁が提供されなくなるので、電流は、ベイ１７ｂ内で前もって中断されなければならない。
【００１７】
更に、取り外された後、スペーサケーシング１４ｃを断路器ケーシング１３ｅから分離する支持絶縁体１５は１４ｃに取り付けられたままである。したがって、取り外される前に、断路器ケーシング１３ｅが大気圧の空気で充填されなければならないことに留意されたい。したがって、検討中のベイ１７ｃから電気が切断されなければならない。
【００１８】
最後に、ケーシング１３ｃをスペーサケーシング１４ａから分離する絶縁体１５は、１４ａに取り付けられたままであり、ＧＩＳ１０上に残る。
【００１９】
断路器ケーシング１３ｃをＧＩＳから取り外すステップは、以下のように行なわれる。
ベイ１７ｂと１７ｃ及び１組の母線１１ａを接地する。
回路遮断器ケーシング１２ｂ、断路器ケーシング１３ｃと１３ｅ、及び中間ケーシング１４ｃの絶縁性ガスを抜いて大気圧の空気と置き換える。
ケーシング１４ａ及び１４ｅの内圧を中間圧力まで下げて、周囲圧力に晒された支持絶縁体１５の両側の圧力差を制限する。
ケーシング１４ａと１３ｃ間とケーシング１４ｃと１３ｅ間の結合ユニット１６を切り離した後、ケーシング１３ｃと１４ｃを物理的に抜き取る。
【００２０】
したがって、ＧＩＳ構造は、断路器が故障した場合に２つの隣り合ったベイを使用できない状態にすることを必要とする。
【００２１】
したがって、ベイが使用できない状態にされるたびに、下流の電気の分配が中断される虞がある。
【００２２】
さらに、ケーシングの絶縁性ガスを抜き取り外すのに時間を必要とする。
【００２３】
最後に、ＳＦ６は、強力な温室効果ガスであり、ＳＦ６の処理を回避できると漏れのリスクが制限される。
【００２４】
特許文献１は、ガス絶縁開閉装置のベイについて記載している。
【先行技術文献】
【特許文献】
【００２５】
【特許文献１】米国特許第６，７５９，６１６号明細書
【発明の概要】
【発明が解決しようとする課題】
【００２６】
このベイは、回路遮断器と、タンク内の負荷側に第１の断路器と、別のタンク内の母線側に第２と第３の断路器とを有する。第１の絶縁ブッシングが、第１の断路器を負荷に接続し、第２と第３の絶縁ブッシングが、第２と第３の断路器をそれぞれの母線に接続する。気密絶縁体が、第１の絶縁ブッシング、負荷側の断路器、回路遮断器、及び母線側の断路器を連続的に分離する。同一タイプの他の絶縁体が、母線側の断路器を母線側のそれぞれの絶縁ブッシングに接続する。
【００２７】
それにもかかわらず、特許文献１では、ガス絶縁母線が開示されていない。
【００２８】
更に、前記特許文献１が解決することを主張する技術的問題に反して、開示されている開閉装置は、母線を切り離さないと保守操作を行うことができない。例えば、特許文献１の図１６では、母線に接続されたものを含む複数の金属導線が、同一のガス絶縁中央ケーシングに浸される。前記ケーシング内の圧力を低下させることによって、負荷断路器を閉じた後で、絶縁性ガスが提供されなくなり、それにより、母線から電気アークが生じる。
【００２９】
本発明は、既存の装置に対して、使用されていない断路器の保守と修理を改善することを目的とする。
【課題を解決するための手段】
【００３０】
本発明は、ＧＩＳ型の電気設備のスペーサケーシング用の取り外し可能な安定器を提供し、取り外し可能な安定器は、前記スペーサケーシングが大気圧に置かれた後で前記導体が移動するのを阻止するために、前記スペーサケーシング内の導体に機械的に締結されるように構成される。
【００３１】
そのような安定器は、導体をスペーサケーシングに固定することによって、電気設備を、特に安全かつ単純に操作することを可能にする。その場合、導体、スペーサケーシング及び安定器は、安定器が導体及びスペーサケーシングと一体になる安全保持位置を有する。
【００３２】
有利な実施形態によれば、スペーサケーシングは、第１の開口と、ボアに嵌合された導体とを備える。取り外し可能な安定器は、第１の開口を介してスペーサケーシングに導入されるように構成されたプラグを備える。当該プラグは、導体のボアに貫入するように設計されている。
【００３３】
追加の有利な実施形態では、取り外し可能な安定器は、第２の開口を介してスペーサケーシングに挿入され、プラグの端を収容するように構成されたソケットを備える。
【００３４】
有利には、プラグとソケットは、第１の開口と第２の開口にそれぞれねじ留めされるように構成される。
【００３５】
変形物では、プラグはソケットにねじ留めされるように構成される。
【００３６】
別の有利な実施形態では、プラグの一端は、スペーサケーシングに含まれるハウジング内に配置されるように構成され、ハウジングは、ケーシングの第１の開口と反対側に位置する。
【００３７】
有利には、プラグは、第１の開口にねじ留めされるように構成される。
【００３８】
変形物では、プラグは、前記ハウジング内にねじ留めされるように構成される。
【００３９】
プラグは、第１の開口を介して配置されてもよく、少なくとも第１の開口の直径と等しい直径のヘッドを有してもよい。
【００４０】
プラグは、ボアの直径より小さいかそれと等しい直径の少なくとも１つの端部を有する本体を有し、従って導体のボア内に配置されうる。
【００４１】
安定器がソケットを有するとき、ソケットは、第２の開口に通されてもよく、第２の開口の直径と少なくとも等しい直径のヘッドを有してもよい。
【００４２】
ソケットは、プラグの端が収容されうるハウジングを有してもよい。
【００４３】
プラグが、第１の開口にねじ留めされるように構成されるとき、プラグは、そのヘッド又はその本体がねじ切りされてもよい。そのようなねじ山は、スペーサケーシングの対応するねじ山と協力してもよく、そのケーシングは、例えば、第１の開口の周囲に提供される。
【００４４】
ソケットは、そのヘッド又はその本体の外側がねじ切りされてもよい。そのようなねじ山は、例えば第２の開口の周囲にあるスペーサケーシングの対応するねじ山と協力してもよい。
【００４５】
プラグが、ソケットにねじ留めされるように構成されるとき、ソケットのハウジングの内面は、プラグの端の対応するねじ山と協力するようにねじ切りされてもよい。
【００４６】
プラグの端は、第１端と面するスペーサケーシングの壁に含まれるハウジングの直径以下の直径のものであってもよい。
【００４７】
プラグが、スペーサケーシングに含まれるハウジングにねじ留めされるように構成されたとき、プラグは、その端部にねじ山を有し、スペーサケーシングは、ハウジングに対応するねじ山を有する。
【００４８】
本発明では、また、少なくとも第１の導体と、前述のような少なくとも１つの取り外し可能な安定器と、前記取り外し可能な安定器のプラグを挿入するための少なくとも１つの第１の開口とを備えるスペーサケーシングが提供される。
【００４９】
前記第１の導体は、前記取り外し可能な安定器を収容するためのボアを有してもよい。
【００５０】
そのようなスペーサケーシングは、少なくとも第２の導体と、前記導体を互いに機械的に接続する接続部材とを備える。取り外し可能な安定器は、接続部材と協力して、前記スペーサケーシングが大気圧に置かれた後で全ての前記導体がスペーサケーシングに対して移動するのを阻止しうる。
【００５１】
接続部材は、スペーサケーシングの外側の外部手段（例えば、フランジ）を有してもよい。
【００５２】
変形物では、接続部材は、スペーサケーシングの壁の一部分を構成してもよく、前記ケーシングは、少なくとも１つの補助開口を有し、安定化ロッドは、スペーサケーシングが保持位置にあるときに、補助開口内と第２の導体のボア内とに収容される。
【００５３】
接続部材は、さらに、スペーサケーシングの２つの導体に締結された（例えば、リベット留めされた）ストラップであってもよい。
【００５４】
本発明はまた、ＧＩＳ型の電気設備のベイからの断路器ケーシングを抜き取る方法を提供し、前記ベイは、電気設備を配電網に接続する回路遮断器ケーシングを提供し、ベイは、断路器ケーシングに隣接した第１のスペーサケーシングをさらに提供し、前記電気設備は、１組の母線を有し、１組の母線の各部分が各前記断路器ケーシングと前記スペーサケーシング内を通り、断路器ケーシング、回路遮断器ケーシング及びスペーサケーシングがそれぞれ、サービス圧力の絶縁性ガスで満たされたとき、圧力下で独立ユニットを構成し、前記方法は、
前記ベイと前記１組の母線を接地するステップと
回路遮断器ケーシング、前記断路器ケーシング及び前記第１のスペーサケーシング内のサービス圧力の絶縁性ガスを、大気圧の空気と置き換えるステップと、
第１のスペーサケーシング内に、前述のような取り外し可能な安定器を嵌合するステップと、
ＧＩＳから断路器ケーシングを物理的に抜き取るステップと、を含む。
【００５５】
第１の絶縁要素は、断路器ケーシングと回路遮断器ケーシングの間に配置されてもよく、第２の支持絶縁体要素は、断路器ケーシングと第１のスペーサケーシングの間に配置されてもよく、これらの支持絶縁体は、抜き取り後に断路器ケーシング上に保持される。
【００５６】
電気設備は、前記断路器ケーシングに隣接した第２のスペーサケーシングをさらに含んでもよく、第２のケーシングの内圧を、サービス圧力より低い圧力レベルに低下させるステップを含み、当該低下させるステップが、断路器ケーシングの物理的取り出し前でかつ前記１組の母線の接地後に行われる。
【００５７】
したがって、断路器ケーシングは、第３の支持絶縁体によって第２のスペーサケーシングから分離されてもよい。前記支持絶縁体は、断路器ケーシングをＧＩＳから物理的に抜き取った後で、第２のスペーサケーシングに取り付けられたままでもよい。
【００５８】
例えば、第２のスペーサケーシングの内圧は、低下後に、０．１ＭＰａ〜０．５ＭＰａの範囲、又は例えば約０．２ＭＰａである。
【００５９】
変形例では、低下後の第２のスペーサケーシングの内圧は、大気圧であり、支持絶縁体は、物理的抜き取り後に断路器ケーシングに取り付けられたままである。
【００６０】
したがって、取り外し可能な安定器が、第２のスペーサケーシング上に取り付けられてもよい。
【００６１】
さらに他の変形例では、第２のスペーサケーシングの内圧は、低下後に、大気圧と等しく、取り外し可能な安定器を第２のスペーサケーシングに装着するステップが行なわれる。
【００６２】
本発明は、保守作業中に非活動化しなければならないベイの数を制限する利点を有する。有利な方法では、配電網の中断の数が制限されることで、最大サービス品質が保証される。
【００６３】
本発明は、さらに、前述のような安定器及び／又はケーシングを含み、かつ／又は前述の抜き取り方法が実施されうるＧＩＳに関連する。
【図面の簡単な説明】
【００６４】
【図１】組の母線、回路遮断器ケーシング、断路器ケーシング、及びスペーサケーシングを有する既存のＧＩＳの斜視図であり、断路器ケーシングは、組の母線を回路遮断器ケーシングに接続し、スペーサケーシングは、断路器ケーシングを対で接続する。
【図２】ケーシング内の相導体の配置を示すために部分的に切除されており、断路器ケーシングとその関連スペーサケーシングが抜き取られた図１のＧＩＳを示す。
【図３】組の母線、回路遮断器ケーシング、断路器ケーシング、及びスペーサケーシングを有する改良されたＧＩＳの斜視図であり、断路器ケーシングは、組の母線を回路遮断器ケーシングに接続し、スペーサケーシングが、断路器ケーシングを対で接続し、各スペーサケーシングは、２つの結合ユニットを含む。
【図４】図３の２つの断路器ケーシングと１つのスペーサケーシングの部分切除された斜視図であり、スペーサケーシングは、ストラップと取り外し可能な安定器を備える。
【図５】図４と同じ図であり、分解された後の安定器を示す。
【図６】２つの支持絶縁体を有する取り外された断路器ケーシングを示す。
【図７】第３の支持絶縁体を有する、図６の断路器ケーシングと類似の取り外された断路器ケーシングを示す図である。
【図８ａ】図４の線ＶＩＩＩの断面のスペーサケーシングの概略図である。
【図８ｂ】スペーサケーシングと安定器の変形物の図８ａと類似の図である。
【図８ｃ】スペーサケーシングと安定器の変形物の図８ａと類似の図である。
【図９】スペーサケーシングの別の実施形態を示す図である。
【発明を実施するための形態】
【００６５】
本発明の実施形態は、非限定的な例によって、また添付図面と関連して、以下に述べられる。図１と図２に見ることができるＧＩＳ１０が、本出願の導入で述べられていることを想起されたい。
【００６６】
図３は、ＧＩＳ１０と比較して改良されたＧＩＳ２０を示す。
【００６７】
ＧＩＳ２０には、２組の母線２１ａと２１ｂ、４つのベイ２７ａ〜２７ｄに対応する４つの回路遮断器ケーシング２２ａ〜２２ｄ、８つの断路器ケーシング２３ａ〜２３ｈ、及び６つのスペーサケーシング２４ａ〜２４ｆがある。
【００６８】
ＧＩＳ２０に適応された取り外し可能な安定器２９が提供される（図４、図５及び図８ａを参照）。安定器２９は、プラグ２９ａとソケット２９ｂを有する。安定器２９は、２つのヘッド３２も備える。安定器２９の機能について以下に述べる。
【００６９】
ケーシング２２ａ〜２２ｄ、２３ａ〜２３ｈ及び２４ａ〜２４ｆは、圧力下で絶縁性ガスが充填された金属タンクである。ケーシング２３ａ〜２３ｈとケーシング２２ａ〜２２ｄ又は２４ａ〜２４ｆとの間の各接続部にある気密支持絶縁体２５は、隣接ケーシング間のＳＦ６ガスの交換を防ぐ。各ケーシング２２ａ〜２２ｄ、２３ａ〜２３ｈ及び２４ａ〜２４ｆは、加圧下で独立ユニットを構成する。
【００７０】
この例では、各組の母線２１ａと２１ｂが、母線固有の３つの導体３０ａ、３０ｂ及び３０ｃを含む（図４と図５を参照）。これらの母線はそれぞれ、断路器ケーシングとスペーサケーシング内で、ＧＩＳ２０の幅全体にわたって延在する。この例では、母線は、実質的に水平に向けられる。各ケーシング２３ａ〜２３ｈと２４ａ〜２４ｆは、１組の母線のそれぞれの部分を覆い、母線に絶縁性ガスを提供する働きをする。
【００７１】
母線の長さに沿って、１組の母線２１ａと２１ｂは、導体３０ａ〜３０ｃをそれぞれ構成する導電性スリーブ４１とロッド４２の組み合わせを含む。３つのスリーブ４１は、各支持絶縁体２５に取り付けられ、各絶縁体２５の一方の側から他方の側に電気接続を提供する。ロッド４２は、スリーブ４１に差し込まれ、２つの連続した支持絶縁体２５の間の所定位置（例えば、図４と図５ではケーシング２４ｃのどちらかの側）に保持される。
【００７２】
各組の母線に関して、スペーサケーシング２４ａ〜２４ｆのうちの１つの中にある導体３０ｂの各ロッド４２は、ボア３４を有する。
【００７３】
各回路遮断器ケーシング２２ａ〜２２ｄは、対応するベイ２７ａ〜２７ｄを下流回路網から絶縁することを可能にする。
【００７４】
断路器ケーシング２３ｃ〜２３ｈは、結合ユニット１６を有していない点が、導入部で述べたケーシング１３ｃ〜１３ｈと異なる。同様に、組の母線の端にあるケーシング２３ａと２３ｂには結合ユニット１６がない。
【００７５】
断路器ケーシング２３ａと２３ｂの各々は、ケーシング２２ａと組の母線２１ａと２１ｂのそれぞれとの間に接続部を形成する。他のケーシング２２ｂ〜２２ｄの各々は、２つの断路器ケーシングに同じように接続される。
【００７６】
断路器ケーシング２３ａ〜２３ｈは、組の母線２１ａと２１ｂの一方又は他方から回路遮断器ケーシング２２ａ〜２２ｄの１つを電気的に絶縁することを可能にする。
【００７７】
スペーサケーシング２４ａ〜２４ｆは、図３に示されたように、断路器ケーシング２３ａ〜２３ｈを対で接続する。そのために、各ケーシング２４ａ〜２４ｆは、２つの結合ユニット２６を含む。例えば、ケーシング２３ａは、隣接したケーシング２３ｃにスペーサケーシング２４ａによって接続される。前記スペーサケーシングは、ケーシング２３ａとの接続を提供する結合ユニット２６と、ケーシング２３ｃとの接続を提供する別の結合ユニット２６とを有する。
【００７８】
各スペーサケーシング２４ａ〜２４ｆは、図５に示されたような２つの反対側の開口３３を有する。各開口３３は、ボア３４と位置合わせされる。使用中、これらの開口３３は閉じられ、この例では、開口３３は、圧力監視装置２８（図３に見ることができる）又は気密キャップ（図示せず）によって閉じられる。開口３３は、また、電界測定装置、又は他のツール若しくは測定機器を挿入するために使用されてもよい。
【００７９】
各スペーサケーシング２４ａ〜２４ｆは、永久取り付けストラップ３１を有する。この例では、前記ストラップは、導体３０ａ〜３０ｃのそれぞれにリベット留めされた細長い絶縁材料である。
【００８０】
結合ユニット２６は、この場合スペーサケーシングによって保持されていること以外、結合ユニット１６（例えば、複数のねじで構成された）と同じタイプのものである。
【００８１】
各ベイ２７ａ〜２７ｄは、回路遮断器ケーシング、２つの断路器ケーシング（組の母線のうちの１つにそれぞれ対応する）、各断路器ケーシング用の隣接スペーサケーシング、及び最後にベイのケーシング内で絶縁された各組の母線の対応部分を含む。
【００８２】
次に、断路器に対する措置を取るために、断路器ケーシング２３ｃを抜き取る前に行われるステップについて述べる。
【００８３】
結合ユニット２６によって、ケーシング２３ｃは、ＧＩＳ２０からそのまま引き抜かれてもよく、すなわち、ケーシング２３ｃは、隣接したスペーサケーシング（この例では、ケーシング２４ａと２４ｃ）から完全に分離されてもよい。
【００８４】
ケーシング２３ｃを回路遮断器ケーシング２２ｂとスペーサケーシング２４ｃから分離する支持絶縁体２５は、取り外した後でケーシング２３ｃに取り付けられたままである。これと対照的に、ケーシング２３ｃをスペーサケーシング２４ａから分離する絶縁体２５は、２４ａに取り付けられたままである。図６は、前述のように取り外された後のケーシング２３ｃを示し、両方の絶縁体２５は取り付けられたままである。この例では、絶縁体は、図示されていないねじによって、それぞれのケーシング上に保持される。
【００８５】
ＧＩＳからの断路器ケーシング２３ｃの取り外しは、以下のように行なわれる。
ベイ２７ｂと１組の母線２１ａを接地する。
回路遮断器ケーシング２２ｂ、断路器ケーシング２３ｃ及びスペーサケーシング２４ｃの絶縁性ガスを抜いて大気圧の空気と置き換える。
周囲圧力に晒された支持絶縁体２５の両側の圧力差を制限するために、ケーシング２４ａの内圧を中間圧力まで下げる。
後述し、図４、図５及び図８ａに示されるようにスペーサケーシング２４ｃ上に安定器２９を嵌合し、それにより、スペーサケーシング２４ｃが、安全に切り離され抜き取られうる保守位置に配置される。
ケーシング２４ａと２４ｃのケーシング２３ｃに隣接した結合ユニット２６を外した後で、ケーシング２３ｃを物理的に抜き取る。
【００８６】
上記のステップで、スペーサケーシング２４ｃは、大気圧の空気で満たされたが、隣接した断路器ケーシング２３ｅは、サービス圧力のＳＦ６で満たされたままである。したがって、ケーシング２４ｃと２３ｅを分離する絶縁体２５は、その面の一方でサービス圧力を受け、他方で大気圧を受ける。両側のこの大きい圧力差によって、ケーシング２３ｃを抜き取ることによって生じる衝撃で、絶縁体２５が破裂し、オペレータが負傷し、ＳＦ６が大気中に放出される危険がある。
【００８７】
この種の事故を防ぐために、ケーシング２３ｃを抜き取る前に安定器２９をスペーサケーシング２４ｃに嵌め込む必要がある。これは、再設備として知られる。
【００８８】
圧力監視装置２８とキャップの開口３３が開かれる。
【００８９】
次に、ソケット２９ｂが、開口３３からボア３４に挿入される。プラグ２９ａの端部２３０が、反対側の開口３３を介して、ソケット２９ｂを含むハウジング２３４に導入される。これにより、プラグ２９ａとソケット２９ｂが、開口３３（例えば、各開口内又はそのまわり）でのねじ留めによって締め付けられる。ヘッド３２は、ねじ留めの支持面として使用されうる。留められたとき、ヘッド３２は、スペーサケーシング２４ｃの本体と接触する（図４と図８ａを参照）。
【００９０】
あるいは、プラグ２９ａは、対応する開口３３のまわりにそれぞれねじ留めされるのではなく、ソケット２９ｂにねじ留めされてもよい。より正確には、プラグ２９ａの端部２３０は、ねじ山２３０ａを有してもよく、ソケット２９ｂのハウジング２３４は、対応するねじ山２３４ａを有してもよい。
【００９１】
これにより、安定器２９は、中心導体３０ｂがスペーサケーシング２４ｃに対して移動するのを阻止する。換言すると、スペーサケーシング２４ｃが周囲圧力にあるとき、導体３０ｂによって、安定器２９は、ケーシング２３ｅの内圧と反対の力で支持絶縁体２５を支える。
【００９２】
ストラップ３１は、導体３０ａ〜３０ｃを機械的に保持する。
【００９３】
安定器２９とストラップ３１は協力して、１組の導体が、ケーシング２４ｃに対して移動するのを阻止することを可能にする。
【００９４】
スペーサケーシング２４ａ内で、圧力が、サービス圧力（０．７ＭＰａ）と大気圧（０．１ＭＰａ）の間の中間レベルに低下することで、支持絶縁体２５が、全圧差に耐える必要がなくなることに留意されたい。
【００９５】
２３ｃを取り外すために安定器２９のスペーサケーシング２４ｃ内への嵌め込みについて前述した。そのような安定器２９を、対応する断路器ケーシングのスペーサケーシング２４ａ、２４ｂ及び２４ｄ〜２４ｆに嵌め込むステップは、同じように行なわれる。
【００９６】
断路器ケーシング２３ｄ〜２３ｆを取り外すステップは、２３ｃのステップと同じように行なわれる。
【００９７】
ケーシング２３ａ及び２３ｂに関して、エンドキャップ３５は、２３ｃ〜２３ｆのスペーサケーシング２４ａ〜２４ｄの代わりに、１組の母線の端に締結され、前記キャップ３５は、最初に、対応する組の母線から電気的に絶縁され、次に気密にされサービス圧力に永久に耐えるように構成されることに留意されたい。
【００９８】
各ケーシング２３ｇ及び２３ｈ上で、端部ケーシング３６が、気密に締結される。支持絶縁体２５は、各ケーシング２３ｇ及び２３ｈをそれぞれのケーシング３６から分離する。絶縁体２５と反対側で、ケーシング３６が、キャップ３５と類似のキャップ３７によって閉じられる。ケーシング３６は、安定器２９を使用せずに大気圧下に置かれてもよい。
【００９９】
図７に示された変形物では、支持絶縁体２５はすべて、抜き取られた断路器ケーシング４３ｃ（２３ｃと類似）に取り付けられたままである。したがって、両方の隣接スペーサケーシング上の安定器２９が使用されなければならない。
【０１００】
変形物（図示せず）では、２つの結合ユニットの一方が、２つの隣接断路器ケーシングの一方の上に配置されるか、２つの結合ユニットが、スペーサケーシングに隣接したケーシング上に配置される。
【０１０１】
絶縁性ガスとしてＳＦ６の使用は限定ではない。例えば、変形物（図示せず）では、Ｎ２とＳＦ６の混合物が使用される。
【０１０２】
変形物（図示せず）では、ＧＩＳは単相交流を伝え、組の母線には２本の導体しかない。したがって、安定器は、導体の一方の上に同じように固定され、２本の導体を接続するストラップは、スペーサケーシング内に永久的に取り付けられる。
【０１０３】
図８ｂに示された変形物では、スペーサケーシング１２４ｃは、安定器１２９を備える。
【０１０４】
スペーサケーシング１２４ｃは、開口１３３と、開口１３３と反対側に配置されるか、取り付けられるか、又はその壁の内側面に形成されたハウジング１３４を備える。
【０１０５】
安定器１２９は、プラグ１２９ａとヘッド１３２を有する。安定器１２９は、取り外し可能なソケットを有していない点で前述の安定器２９と異なる。
【０１０６】
安定器１２９をスペーサケーシング１２４ｃに取り付けるために、開口１３３が開かれ、プラグ１２９ａが、その端１３０をボア３４内で係合させ次にハウジング１３４内で係合させることによって開口１３３に挿入される。したがって、プラグ１２９ａは、開口１３３（例えば、開口内又はそのまわり）のねじ留めによって固定される。あるいは、プラグ１２９ａの端部１３０は、開口１３３のまわりではなく、ハウジング１３４にねじ留めされてもよい。したがって、端部１３０は、ねじ山１３０ａを有し、ハウジング１３４は、対応するねじ山１３４ａを有する。
【０１０７】
図８ｃに示された変形物では、スペーサケーシング２２４ｃは、この例では、プラグだけを含む安定器２２９を備える。ケーシング２２４ｃは、ペグを備え、プラグ２２９は、その端部に、プラグ２２９がケーシング２２４ｃに取り付けられたときにペグを収容するハウジングを備える。例えば、プラグ２２９を開口３３の周囲又はペグ２２９上にねじ留めするなど、設けられた適切なねじ山による種々の締結構造が可能である。
【０１０８】
別の実施形態（図９）では、スペーサケーシング３２４ｃが使用される。ケーシング２４ｃ及び１２４ｃとの違いは、後述される。類似の要素は、同じ参照数字が与えられる。この例では、スペーサケーシング３２４ｃは、安定器２９が所定位置にある保守位置で示される。
【０１０９】
この例では、ケーシング３２４ｃ内に配置された導体３０ａ〜ｃの各母線４２が、それ自身のボア３４を有する。
【０１１０】
ケーシング３２４ｃは、開口３３の上と下に、安定器２９を挿入するための補助開口３３３を有する。この例では、４つの開口３３３が提供され、上側導体３０ａと下側導体３０ｃそれぞれの各側に、それぞれのボア３４に面する開口３３３がある。
【０１１１】
この例では、２つの安定化ロッド３２９が、それぞれの開口３３３内と、導体３０ａ及び３０ｃの一方の対応ボア３４内に収容される。
【０１１２】
キャップ３３５が、ロッド３２９を挿入するために開口３３３の反対側の開口３３３を塞ぎ、各安定化ロッド３２９の端部が、ケーシング３２４ｃ内でキャップ３３５に入れられる。
【０１１３】
変形物では、ケーシング３２４ｃは、２つの開口３３３だけを有し、各安定化ロッド３２９の端部が、ケーシング３２４ｃの壁の内側面に提供された対応するハウジングに挿入される。
【０１１４】
この例では、フランジ３３４は、ケーシング３２４ｃの外側に配置され、例えば、ケーシングに当てられるかケーシング上に配置される。ロッド３２９は、例えばねじ留め又は何らかの他の手段によって、フランジ３３４に固定される。ロッド３２９をケーシング３２４ｃの外側に固定するステップは、ねじ山を使用する結果、切屑が前記ケーシング内に落ちるのを防ぐ利点を有する。
【０１１５】
この実施形態では、ロッド３２９とフランジ３３４は、ストラップ３１と有利に置き換わる。
【０１１６】
３つの導体を一緒にかつ／又はケーシング３２４ｃに留めるためのフランジ３３４又は他の締結具部材は、ケーシング３２４ｃ上又はケーシング３２４ｃに対して永久的に提供されてもよい。ケーシング３２４ｃの壁の一部分は、３つの導体を一緒に留めるための機械接続部材又は締結具部材を構成しうる。ロッド３２９自体は、開口３３３の周囲に、ケーシング３２４ｃに対してねじ留めされてもよく、ケーシング３２４ｃ自体は、安定器２９とロッド３２９によって、３つの導体３０ａ〜ｃ間で機械接続を提供する。変形物では、フランジ３３４は、保守作業の間だけ所定の位置にある取り外し可能な部分である。抜き取りされる断路器ケーシングに隣接した第２のスペーサケーシングは、前述のケーシング３２４ｃの構造と類似でもよい。ここで、ロッド３２９が使用されてもよい。
【符号の説明】
【０１１７】
２０：ＧＩＳ型電気設備
２４ａ〜２４ｆ：スペーサケーシング
２９：安定器
２９ａ：プラグ
３０ｂ：導体
３３：開口
３４：ボア
【図１】
0006289510.tif 000002
【図２】
0006289510.tif 000003
【図３】
0006289510.tif 000004
【図４】
0006289510.tif 000005
【図５】
0006289510.tif 000006
【図６】
0006289510.tif 000007
【図７】
0006289510.tif 000008
【図８ａ】
0006289510.tif 000009
【図８ｂ】
0006289510.tif 000010
【図８ｃ】
0006289510.tif 000011
【図９】
0006289510.tif 000012